(57)【要約】  本開示のいくつかの態様は、ユーザ機器（ＵＥ）によって、ＵＥの間欠受信モード動作に基づいて無線リンク監視を実施するための技法を提供する。いくつかの態様は、ワイヤレス通信のための方法を提供する。本方法は、概して、ユーザ機器（ＵＥ）において、間欠受信（ＤＲＸ）動作モードで動作することを含む。本方法は、ＵＥによって、時間期間ごとに少なくとも１回、ＵＥと基地局（ＢＳ）との間のリンク品質を評価すること、ここにおいて、時間期間が、ＤＲＸ動作モードで動作するＵＥのＤＲＸサイクルの長さと基準信号（ＲＳ）期間とに基づき、ここにおいて、ＢＳが、ＲＳ期間ごとに周期的にＲＳを送信するように構成された、をさらに含む。
2021503803.tif 000002
【特許請求の範囲】
【請求項１】
ワイヤレス通信のための方法であって、前記方法は、
ユーザ機器（ＵＥ）において、間欠受信（ＤＲＸ）動作モードで動作することと、
前記ＵＥによって、時間期間ごとに少なくとも１回、前記ＵＥと基地局（ＢＳ）との間のリンク品質を評価すること、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を備える、方法。
【請求項２】
前記時間期間が、前記ＤＲＸサイクルの前記長さと前記ＲＳ期間とのうちのより大きいほうである、請求項１に記載の方法。
【請求項３】
前記時間期間が、前記ＤＲＸサイクルの前記長さと前記ＲＳ期間の倍数とのうちのより大きいほうである、請求項１に記載の方法。
【請求項４】
前記ＵＥによって、時間期間ごとに少なくとも１回、前記ＵＥと前記ＢＳとの間のリンク品質を評価することが、少なくとも２回、前記ＢＳによって送信されたＲＳを測定することを備え、ここにおいて、少なくとも２回、前記ＢＳによって送信されたＲＳを測定することは、前記ＢＳによって送信された第１のＲＳと前記ＢＳによって送信された第２のＲＳとが前記時間期間の少なくとも１／２だけ分離されるように、前記第１のＲＳと前記第２のＲＳとを測定することを備える、請求項１に記載の方法。
【請求項５】
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、請求項１に記載の方法。
【請求項６】
リンク品質を評価することは、
前記ＢＳによって送信されるＲＳがその上で送信される、チャネルの１つまたは複数の測定値を決定するために、時間期間ごとに少なくとも１回、前記ＲＳを測定すること、
前記ＵＥと前記ＢＳとの間のリンクが、アクティブであるのか無線リンク障害状態にあるのかを決定すること、または
前記ＵＥが、前記ＢＳに関してサービス中にあるのかサービス外にあるのかを決定すること
のうちの少なくとも１つを備える、請求項１に記載の方法。
【請求項７】
前記評価されたリンク品質に基づいて、
接続すべき別のＢＳについて前記ＵＥによってセル探索を選択的に始動すること、
別のＢＳに接続するためにセル再選択を選択的に実施すること、または
別のＢＳへのハンドオーバを選択的に実施すること
のうちの１つをさらに備える、請求項１に記載の方法。
【請求項８】
前記ＤＲＸサイクルが、短期ＤＲＸサイクルまたは長期ＤＲＸサイクルのうちの少なくとも１つを備える、請求項１に記載の方法。
【請求項９】
前記ＤＲＸ動作モードで前記ＵＥを動作させることは、
前記ＤＲＸサイクルの１つまたは複数の指定されたアクティブ期間中に、アクティブ状態で前記ＵＥを動作させることと、
前記ＤＲＸサイクルの１つまたは複数の指定されたスリープ期間中に、前記アクティブ状態または１つまたは複数の低電力状態で前記ＵＥを動作させること、ここにおいて、前記ＵＥが、前記１つまたは複数の指定されたアクティブ期間、または前記１つまたは複数の指定されたスリープ期間のうちの少なくとも１つにおいてリンク品質を評価する、と、
を備える、請求項１に記載の方法。
【請求項１０】
ユーザ機器（ＵＥ）であって、
メモリと、
前記メモリに結合されたプロセッサと
を備え、前記プロセッサは、
間欠受信（ＤＲＸ）動作モードで前記ＵＥを動作させることと、
時間期間ごとに少なくとも１回、前記ＵＥと基地局（ＢＳ）との間のリンク品質を評価すること、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を行うように構成された、ユーザ機器（ＵＥ）。
【請求項１１】
前記時間期間が、前記ＤＲＸサイクルの前記長さと前記ＲＳ期間とのうちのより大きいほうである、請求項１０に記載のＵＥ。
【請求項１２】
前記時間期間が、前記ＤＲＸサイクルの前記長さと前記ＲＳ期間の倍数とのうちのより大きいほうである、請求項１０に記載のＵＥ。
【請求項１３】
時間期間ごとに少なくとも１回、前記ＵＥと前記ＢＳとの間のリンク品質を評価することが、少なくとも２回、前記ＢＳによって送信されたＲＳを測定することを備え、ここにおいて、少なくとも２回、前記ＢＳによって送信されたＲＳを測定することは、前記ＢＳによって送信された第１のＲＳと前記ＢＳによって送信された第２のＲＳとが前記時間期間の少なくとも１／２だけ分離されるように、前記第１のＲＳと前記第２のＲＳとを測定することを備える、請求項１０に記載のＵＥ。
【請求項１４】
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、請求項１０に記載のＵＥ。
【請求項１５】
リンク品質を評価することは、
前記ＢＳによって送信されるＲＳがその上で送信される、チャネルの１つまたは複数の測定値を決定するために、時間期間ごとに少なくとも１回、前記ＲＳを測定すること、
前記ＵＥと前記ＢＳとの間のリンクが、アクティブであるのか無線リンク障害状態にあるのかを決定すること、または
前記ＵＥが、前記ＢＳに関してサービス中にあるのかサービス外にあるのかを決定すること
のうちの少なくとも１つを備える、請求項１０に記載のＵＥ。
【請求項１６】
前記プロセッサが、前記評価されたリンク品質に基づいて、
接続すべき別のＢＳについてセル探索を選択的に始動すること、
別のＢＳに接続するためにセル再選択を選択的に実施すること、または
別のＢＳへのハンドオーバを選択的に実施すること
のうちの１つを行うようにさらに構成された、請求項１０に記載のＵＥ。
【請求項１７】
前記ＤＲＸサイクルが、短期ＤＲＸサイクルまたは長期ＤＲＸサイクルのうちの少なくとも１つを備える、請求項１０に記載のＵＥ。
【請求項１８】
前記ＤＲＸ動作モードで前記ＵＥを動作させることは、
前記ＤＲＸサイクルの１つまたは複数の指定されたアクティブ期間中に、アクティブ状態で前記ＵＥを動作させることと、
前記ＤＲＸサイクルの１つまたは複数の指定されたスリープ期間中に、前記アクティブ状態または１つまたは複数の低電力状態で前記ＵＥを動作させること、ここにおいて、前記プロセッサが、前記１つまたは複数の指定されたアクティブ期間、または前記１つまたは複数の指定されたスリープ期間のうちの少なくとも１つにおいてリンク品質を評価する、と、
を備える、請求項１０に記載のＵＥ。
【請求項１９】
ユーザ機器（ＵＥ）であって、
間欠受信（ＤＲＸ）動作モードで前記ＵＥを動作させるための手段と、
時間期間ごとに少なくとも１回、前記ＵＥと基地局（ＢＳ）との間のリンク品質を評価するための手段、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を備える、ユーザ機器（ＵＥ）。
【請求項２０】
前記時間期間が、前記ＤＲＸサイクルの前記長さと前記ＲＳ期間とのうちのより大きいほうである、請求項１９に記載のＵＥ。
【請求項２１】
前記時間期間が、前記ＤＲＸサイクルの前記長さと前記ＲＳ期間の倍数とのうちのより大きいほうである、請求項１９に記載のＵＥ。
【請求項２２】
前記ＵＥによって、時間期間ごとに少なくとも１回、前記ＵＥと前記ＢＳとの間のリンク品質を評価するための手段が、少なくとも２回、前記ＢＳによって送信されたＲＳを測定するための手段を備え、ここにおいて、少なくとも２回、前記ＢＳによって送信されたＲＳを測定するための手段は、前記ＢＳによって送信された第１のＲＳと前記ＢＳによって送信された第２のＲＳとが前記時間期間の少なくとも１／２だけ分離されるように、前記第１のＲＳと前記第２のＲＳとを測定するための手段を備える、請求項１９に記載のＵＥ。
【請求項２３】
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、請求項１９に記載のＵＥ。
【請求項２４】
リンク品質を評価するための手段は、
前記ＢＳによって送信されるＲＳがその上で送信される、チャネルの１つまたは複数の測定値を決定するために、時間期間ごとに少なくとも１回、前記ＲＳを測定するための手段、
前記ＵＥと前記ＢＳとの間のリンクが、アクティブであるのか無線リンク障害状態にあるのかを決定するための手段、または
前記ＵＥが、前記ＢＳに関してサービス中にあるのかサービス外にあるのかを決定するための手段
のうちの少なくとも１つを備える、請求項１９に記載のＵＥ。
【請求項２５】
命令を記憶する非一時的コンピュータ可読記憶媒体であって、前記命令が、ユーザ機器（ＵＥ）によって実行されたとき、前記ＵＥにワイヤレス通信のための方法を実施させ、前記方法は、
前記ＵＥにおいて、間欠受信（ＤＲＸ）動作モードで動作することと、
前記ＵＥによって、時間期間ごとに少なくとも１回、前記ＵＥと基地局（ＢＳ）との間のリンク品質を評価すること、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を備える、非一時的コンピュータ可読記憶媒体。
【請求項２６】
前記時間期間が、前記ＤＲＸサイクルの前記長さと前記ＲＳ期間とのうちのより大きいほうである、請求項２５に記載の非一時的コンピュータ可読記憶媒体。
【請求項２７】
前記時間期間が、前記ＤＲＸサイクルの前記長さと前記ＲＳ期間の倍数とのうちのより大きいほうである、請求項２５に記載の非一時的コンピュータ可読記憶媒体。
【請求項２８】
前記ＵＥによって、時間期間ごとに少なくとも１回、前記ＵＥと前記ＢＳとの間のリンク品質を評価することが、少なくとも２回、前記ＢＳによって送信されたＲＳを測定することを備え、ここにおいて、少なくとも２回、前記ＢＳによって送信されたＲＳを測定することは、前記ＢＳによって送信された第１のＲＳと前記ＢＳによって送信された第２のＲＳとが前記時間期間の少なくとも１／２だけ分離されるように、前記第１のＲＳと前記第２のＲＳとを測定することを備える、請求項２５に記載の非一時的コンピュータ可読記憶媒体。
【請求項２９】
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、請求項２５に記載の非一時的コンピュータ可読記憶媒体。
【請求項３０】
リンク品質を評価することは、
前記ＢＳによって送信されるＲＳがその上で送信される、チャネルの１つまたは複数の測定値を決定するために、時間期間ごとに少なくとも１回、前記ＲＳを測定すること、
前記ＵＥと前記ＢＳとの間のリンクが、アクティブであるのか無線リンク障害状態にあるのかを決定すること、または
前記ＵＥが、前記ＢＳに関してサービス中にあるのかサービス外にあるのかを決定すること
のうちの少なくとも１つを備える、請求項２５に記載の非一時的コンピュータ可読記憶媒体。
【発明の詳細な説明】
【技術分野】
【０００１】
関連出願の相互参照
[0001]本出願は、２０１７年１１月１７日に出願された米国仮特許第６２／５８７，９７９号の優先権および利益を主張する、２０１８年１０月２５日に出願された米国出願第１６／１７０，３６９号の優先権を主張する。両方の出願の内容は、その全体が参照により本明細書に組み込まれる。
【背景技術】
【０００２】
[0002]本開示の態様は、ワイヤレス通信に関し、より詳細には、ユーザ機器（ＵＥ）によって、ＵＥの間欠受信モード動作に基づいて無線リンク監視を実施するための技法に関する。
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、場合によってはユーザ機器（ＵＥ）として知られる、複数の通信デバイスのための通信を各々が同時にサポートする、いくつかの基地局を含み得る。ＬＴＥまたはＬＴＥ−Ａネットワークでは、１つまたは複数の基地局のセットがｅノードＢ（ｅＮＢ）を定義し得る。他の例では（たとえば、次世代または５Ｇネットワークでは）、ワイヤレス多元接続通信システムは、いくつかの中央ユニット（ＣＵ）（たとえば、中央ノード（ＣＮ）、アクセスノードコントローラ（ＡＮＣ）など）と通信しているいくつかの分散型ユニット（ＤＵ）（たとえば、エッジユニット（ＥＵ）、エッジノード（ＥＮ）、無線ヘッド（ＲＨ）、スマート無線ヘッド（ＳＲＨ）、送信受信ポイント（ＴＲＰ）など）を含み得、ここで、中央ユニットと通信している１つまたは複数の分散型ユニットのセットは、アクセスノード（たとえば、新無線基地局（ＮＲ  ＢＳ）、新無線ノードＢ（ＮＲ  ＮＢ）、ネットワークノード、５Ｇ  ＮＢ、ｇＮＢなど）を定義し得る。基地局またはＤＵは、（たとえば、基地局からまたはＵＥへの送信のために）ダウンリンクチャネル上で、および（たとえば、ＵＥから基地局または分散型ユニットへの送信のために）アップリンクチャネル上でＵＥのセットと通信し得る。
【０００５】
[0005]これらの多元接続技術は、異なるワイヤレスデバイスが都市、国家、地域、さらには地球規模で通信することを可能にする共通プロトコルを与えるために様々な電気通信規格において採用されている。新生の電気通信規格の例は、新無線（ＮＲ）、たとえば、５Ｇ無線アクセスである。ＮＲは、第３世代パートナーシッププロジェクト（３ＧＰＰ（登録商標））によって公表されたＬＴＥモバイル規格の向上のセットである。ＮＲは、スペクトル効率を改善することと、コストを下げることと、サービスを改善することと、新しいスペクトルを利用することと、ダウンリンク（ＤＬ）上でおよびアップリンク（ＵＬ）上でサイクリックプレフィックス（ＣＰ）を用いたＯＦＤＭＡを使用して他のオープン規格とより良く統合することとによってモバイルブロードバンドインターネットアクセスをより良くサポートし、ならびにビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要が増加し続けるにつれて、ＮＲ技術のさらなる改善が必要である。好ましくは、これらの改善は、他の多元接続技術と、これらの技術を採用する電気通信規格とに適用可能であるべきである。
【発明の概要】
【０００７】
[0007]本開示のシステム、方法、およびデバイスは、各々いくつかの態様を有し、それらの態様のうちの単一の態様が単独で本開示の望ましい属性を担うとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]いくつかの態様は、ワイヤレス通信のための方法を提供する。本方法は、概して、ユーザ機器（ＵＥ）において、間欠受信（ＤＲＸ）動作モードで動作することを含む。本方法は、ＵＥによって、時間期間ごとに少なくとも１回、ＵＥと基地局（ＢＳ）との間のリンク品質を評価すること、ここにおいて、時間期間が、ＤＲＸ動作モードで動作するＵＥのＤＲＸサイクルの長さと基準信号（ＲＳ）期間とに基づき、ここにおいて、ＢＳが、ＲＳ期間ごとに周期的にＲＳを送信するように構成された、をさらに含む。
【０００９】
[0009]いくつかの態様は、メモリと、メモリに結合されたプロセッサとを備える、ユーザ機器（ＵＥ）を提供する。プロセッサは、間欠受信（ＤＲＸ）動作モードでＵＥを動作させるように構成される。プロセッサは、時間期間ごとに少なくとも１回、ＵＥと基地局（ＢＳ）との間のリンク品質を評価すること、ここにおいて、時間期間が、ＤＲＸ動作モードで動作するＵＥのＤＲＸサイクルの長さと基準信号（ＲＳ）期間とに基づき、ここにおいて、ＢＳが、ＲＳ期間ごとに周期的にＲＳを送信するように構成された、を行うように構成される。
【００１０】
[0010]いくつかの態様は、ユーザ機器（ＵＥ）を提供する。ＵＥは、間欠受信（ＤＲＸ）動作モードでＵＥを動作させるための手段を含む。ＵＥは、時間期間ごとに少なくとも１回、ＵＥと基地局（ＢＳ）との間のリンク品質を評価するための手段、ここにおいて、時間期間が、ＤＲＸ動作モードで動作するＵＥのＤＲＸサイクルの長さと基準信号（ＲＳ）期間とに基づき、ここにおいて、ＢＳが、ＲＳ期間ごとに周期的にＲＳを送信するように構成された、をさらに含む。
【００１１】
[0011]いくつかの態様は、命令を記憶する非一時的コンピュータ可読記憶媒体であって、命令が、ユーザ機器（ＵＥ）によって実行されたとき、ＵＥにワイヤレス通信のための方法を実施させる、非一時的コンピュータ可読記憶媒体を提供する。本方法は、ＵＥにおいて、間欠受信（ＤＲＸ）動作モードで動作することを含む。本方法は、ＵＥによって、時間期間ごとに少なくとも１回、ＵＥと基地局（ＢＳ）との間のリンク品質を評価すること、ここにおいて、時間期間が、ＤＲＸ動作モードで動作するＵＥのＤＲＸサイクルの長さと基準信号（ＲＳ）期間とに基づき、ここにおいて、ＢＳが、ＲＳ期間ごとに周期的にＲＳを送信するように構成された、をさらに含む。
【００１２】
[0012]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に示している。ただし、これらの特徴は、様々な態様の原理が採用され得る様々な方法のほんのいくつかを示すものであり、この説明は、すべてのそのような態様およびそれらの均等物を含むものとする。
【００１３】
[0013]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１４】
【図１】[0014]本開示のいくつかの態様による、例示的な電気通信システムを概念的に示すブロック図。
【図２】[0015]本開示のいくつかの態様による、分散型ＲＡＮの例示的な論理アーキテクチャを示すブロック図。
【図３】[0016]本開示のいくつかの態様による、分散型ＲＡＮの例示的な物理アーキテクチャを示す図。
【図４】[0017]本開示のいくつかの態様による、例示的なＢＳおよびユーザ機器（ＵＥ）の設計を概念的に示すブロック図。
【図５】[0018]本開示のいくつかの態様による、通信プロトコルスタックを実装するための例を示す図。
【図６】[0019]本開示のいくつかの態様による、ＤＬセントリックサブフレームの一例を示す図。
【図７】[0020]本開示のいくつかの態様による、ＵＬセントリックサブフレームの一例を示す図。
【図８】[0021]本開示の態様による、無線リンク監視を実施するためにＵＥなどのワイヤレスデバイスによって実施され得る例示的な動作を示す図。
【図９】[0022]本開示の態様による、無線リンク監視を実施するためにＵＥなどのワイヤレスデバイスによって実施され得る例示的な動作を示す図。
【図１０】[0023]図８および／または図９に示されている動作など、本明細書で開示される技法のための動作を実施するように構成された様々な構成要素を含み得る通信デバイスを示す図。
【発明を実施するための形態】
【００１５】
[0024]理解を容易にするために、可能な場合、各図に共通である同じ要素を指定するために同じ参照番号が使用されている。一態様において開示される要素が、特定の具陳なしに他の態様に対して有益に利用され得ることが企図される。
【００１６】
[0025]本開示の態様は、ＮＲ（新無線アクセス技術または５Ｇ技術）のための装置、方法、処理システム、およびコンピュータ可読媒体を提供する。
【００１７】
[0026]ＮＲは、（たとえば、８０ＭＨｚまたはそれを超える）広帯域幅をターゲットにする拡張型モバイルブロードバンド（ｅＭＢＢ）、（たとえば、２５ＧＨｚまたはそれを超える）高いキャリア周波数をターゲットにするミリメートル波（ｍｍＷ）、非後方互換性ＭＴＣ技法をターゲットにするマッシブＭＴＣ（ｍＭＴＣ）、および／または超信頼型低レイテンシ通信（ＵＲＬＬＣ：ultra reliable low latency communication）をターゲットにするミッションクリティカルなど、様々なワイヤレス通信サービスをサポートし得る。これらのサービスは、レイテンシおよび信頼性要件を含み得る。これらのサービスは、それぞれのサービス品質（ＱｏＳ）要件を満たすために、異なる送信時間間隔（ＴＴＩ）をも有し得る。さらに、これらのサービスは、同じサブフレームにおいて共存し得る。ＬＴＥでは、基本送信時間間隔（ＴＴＩ）またはパケット持続時間は、１つのサブフレームである。ＮＲでは、サブフレームは依然として１ｍｓであり得るが、基本ＴＴＩはスロットと呼ばれることがある。サブフレームは、トーン間隔（たとえば、１５、３０、６０、１２０、２４０．．ｋＨｚ）に応じて、可変数のスロット（たとえば、１、２、４、８、１６、．．．個のスロット）を含んでいることがある。
【００１８】
[0027]本開示の態様は、ユーザ機器（ＵＥ）によって、ＵＥの間欠受信（ＤＲＸ）モード動作に基づいて無線リンク監視（ＲＬＭ）を実施することに関する。たとえば、ＵＥは、ＲＬＭを実施するために基地局（ＢＳ）によって送信された少なくとも１つの基準信号（ＲＳ）（たとえば、（同期信号／物理ブロードキャストチャネル（ＳＳ／ＰＢＣＨ）ブロックとも呼ばれる）同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、および／またはチャネル状態情報基準信号（ＣＳＩ−ＲＳ））を使用するように構成され得る。
【００１９】
[0028]ＲＬＭは、ＵＥがＵＥとＢＳとの間のリンク品質を推定するための基準としてＲＳを使用することを指し得る。たとえば、ＵＥは、ＵＥとＢＳとの間のチャネル（たとえば、制御チャネル、ダウンリンク制御チャネルなど）のチャネル測定（たとえば、基準信号受信電力（ＲＳＲＰ）、基準信号受信品質（ＲＳＲＱ）、信号対干渉プラス雑音比（ＳＩＮＲ）、推定されたブロック誤り率（ＢＬＥＲ）など）を実施するためにＲＳを使用し得る。ＵＥは、ＵＥとＢＳとの間で、リンクが同期中（たとえば、アクティブリンク）であるのか、同期外れ（たとえば、無線リンク障害（ＲＬＦ））であるのかを決定するためにＲＳを使用し得る。ＵＥは、それがＢＳに関してサービス中に（たとえば、ＢＳに関してのサービスエリア／セル中に）あるのか、サービス外に（たとえば、ＢＳに関してのサービスエリア／セル外に）あるのかを決定するためにＲＳを使用し得る。ＵＥは、接続すべきＢＳを見つけるためにセル探索を始動すべきなのか、新しいＢＳに接続するためにセル再選択を実施すべきなのか、ハンドオーバを実施すべきなのか、などを決定するためにＲＳを使用し得る。いくつかの態様では、ＲＬＭを実施するために使用されるＲＳは、ＲＬＭ  ＲＳと呼ばれることがある。いくつかの態様では、ＢＳは、５、１０、２０、４０、８０、１６０・・・ｍｓごとになど、周期的に（たとえば、ほぼ周期的に）ＲＬＭ  ＲＳを送信するように構成され得る。ＲＬＭ  ＲＳ送信間の時間期間は、ＲＬＭ  ＲＳ期間と呼ばれることがある。
【００２０】
[0029]いくつかの態様では、ＵＥは、オンまたはアクティブ状態、あるいは１つまたは複数の低電力状態（たとえば、オフまたはスリープ状態）で動作し、間欠受信（ＤＲＸ）（たとえば、接続モードＤＲＸ（ｃＤＲＸ））をサポートすることが可能であり得る。たとえば、いくつかの態様では、ＵＥは、ＵＥがＤＲＸをサポートする場合、ＤＲＸサイクルに従って、（ＵＥが、（たとえば、ＵＥとＢＳとの間のダウンリンクチャネル（たとえば、物理ダウンリンク制御チャネル（ＰＤＣＣＨ））を監視するために）オンまたはアクティブ状態にあると仮定される）１つまたは複数の指定されたアクティブ期間と、１つまたは複数の指定されたスリープ期間（ここにおいて、ＵＥが、（たとえば、ダウンリンクチャネルを監視することを停止するために）オフまたはスリープ状態にあり得る）との間で、（たとえば、循環的に）切り替わり得る。ＵＥは、長期ＤＲＸサイクルをサポートし得、随意に、（たとえば、ＵＥが短期ＤＲＸサイクルのために構成される場合）短期ＤＲＸサイクルをもサポートし得る。ＤＲＸサイクルは、ＵＥのオン状態とオフ状態の可能性との１つのサイクルを指し得る。短期ＤＲＸサイクルは、長期ＤＲＸサイクルよりも短い時間期間であり得、長期ＤＲＸサイクルのオフ状態は、短期ＤＲＸサイクルの倍数の後に始まり得る。
【００２１】
[0030]ＤＲＸは、ＤＲＸパラメータのセットとしてＵＥにおいて（たとえば、ＢＳによって）構成され得る。ＤＲＸパラメータは、非アクティビティタイマー、短期ＤＲＸサイクルパラメータ、ＤＲＸ短期サイクルタイマー、長期ＤＲＸサイクル開始オフセット、オン持続時間タイマーなどを含み得る。
【００２２】
[0031]非アクティビティタイマーは、ＵＥが、ＵＥとＢＳとの間でスケジュールされた新しい送信（たとえば、ＵＬまたはＤＬ）があることを（たとえば、ＰＤＣＣＨ許可を使用して）示すダウンリンクチャネル（たとえば、ＰＤＣＣＨ）を正常に監視および復号した後にオン状態にとどまるべきである、（たとえば、ｍｓ、サブフレームの数、スロットの数などの単位での）時間期間を指定し得る。ＵＥは、オン状態にある間、ＵＥが新しい送信のための指示を受信するたびに、非アクティビティタイマーを再開し得る。タイマーが満了すると、ＵＥはオフ状態に入り得る。非アクティビティタイマーは、長期ＤＲＸサイクルと短期ＤＲＸサイクルの両方に適用可能であり得る。
【００２３】
[0032]短期ＤＲＸサイクルパラメータは、短期ＤＲＸサイクルの（たとえば、ｍｓ、サブフレームの数、スロットの数などの単位での）長さを示し得、これは、ＵＥがオン状態にある時間と、その後に続く、ＵＥが場合によってはオフ状態にある時間とを含む。
【００２４】
[0033]ＤＲＸ短期サイクルタイマーは、ＵＥが長期ＤＲＸサイクルに入る前に（たとえば、初期短期ＤＲＸサイクルの後に）入るべきである、短期ＤＲＸサイクルの数を示す。
【００２５】
[0034]長期ＤＲＸサイクル開始オフセットは、長期ＤＲＸサイクルの（たとえば、ｍｓ、サブフレームの数、スロットの数などの単位での）長さを示し、これは、ＵＥがオン状態にある時間と、その後に続く、ＵＥが場合によってはオフ状態にある時間とを含み、随意に、長期ＤＲＸサイクルのための開始サブフレーム／スロットを含む。
【００２６】
[0035]オン持続時間タイマーは、ＵＥが、ＤＲＸサイクルの間、オフ状態に入る前にオン状態にある、（たとえば、ｍｓ、サブフレームの数、スロットの数などの単位での）長さを示す。オン持続時間タイマーは、長期ＤＲＸサイクルと短期ＤＲＸサイクルの両方に適用可能であり得る。
【００２７】
[0036]ＵＥはまた、（たとえば、メディアアクセス制御（ＭＡＣ）制御要素（ＭＡＣ−ＣＥ）において）ネットワークノード（たとえば、ＢＳ）からオフ状態に入るようにとの明示的コマンドを受信したことに基づいて、（たとえば、オン持続時間タイマーおよび／または非アクティビティタイマーがまだ満了していない間に）オフ状態に入り得る。
【００２８】
[0037]ＮＲにおいてなど、いくつかの態様では、ＤＲＸサイクルの時間期間（たとえば、長いおよび／または短い）は、（たとえば、４ｍｓから数秒までなど、広い範囲にわたって）構成可能であり得る。
【００２９】
[0038]たとえば、ＵＥは、初期短期ＤＲＸサイクルの開始時にオン状態に入り得、短期ＤＲＸサイクルのためのオン持続時間タイマーおよび非アクティビティタイマーが開始され得る。両方のタイマーが満了すると、ＵＥはオフ状態に入り得る。短期ＤＲＸサイクルが終了すると、新しいＤＲＸサイクルが開始し得る（たとえば、別の短期ＤＲＸサイクル、またはＤＲＸ短期サイクルタイマーに基づく長期ＤＲＸサイクル）。オン持続時間タイマーおよび非アクティビティタイマーは、ＤＲＸサイクルについて再開され得る。両方のタイマーが満了すると、ＵＥはオフ状態に入り得る。したがって、ＵＥは、ＵＥのＤＲＸ構成に従ってオン状態とオフ状態との間で周期的に循環し得る。
【００３０】
[0039]その結果、ＵＥは、ＲＬＭ  ＲＳ送信の周期性とＤＲＸサイクルの周期性との差を考慮するためにチャネル推定を実施するために、本明細書でさらに詳細に説明されるようにいくつかの技法を使用する必要があり得る。いくつかの態様では、ＵＥは、ＵＥのＤＲＸ構成に基づいてＲＬＭを実施するように構成され得る。たとえば、ＵＥが機能することができるとき、ＲＬＭは、ＢＳがＲＬＭ  ＲＳを送信する周期性と、ＵＥがオン状態にあり、ＲＬＭ  ＲＳを受信することが可能であるときのＵＥのＤＲＸサイクルとの両方に基づき得る。
【００３１】
[0040]以下の説明は、例を与えるものであり、特許請求の範囲に記載される範囲、適用性、または例を限定するものではない。本開示の範囲から逸脱することなく、説明された要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わされ得る。また、いくつかの例に関して説明される特徴は、いくつかの他の例において組み合わされ得る。たとえば、本明細書に記載される態様を任意にいくつ使用しても、装置は実装され得、または方法は実施され得る。さらに、本開示の範囲は、本明細書に記載される本開示の様々な態様に加えてまたはそれらの態様以外に、他の構造、機能性、または構造および機能性を使用して実施されるそのような装置または方法をカバーするものとする。本明細書で開示される本開示のいずれの態様も、請求項の１つまたは複数の要素によって実施され得ることを理解されたい。「例示的」という単語は、「例、事例、または例示の働きをすること」を意味するために本明細書で使用される。「例示的」として本明細書で説明されるいかなる態様も、必ずしも他の態様よりも好適または有利なものと解釈されるべきではない。
【００３２】
[0041]本明細書で説明される技法は、ＬＴＥ、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、ＮＲ（たとえば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ）とともに開発中の新生のワイヤレス通信技術である。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術に使用され得る。明快のために、本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得る。
【００３３】
例示的なワイヤレス通信システム
[0042]図１は、本開示の態様が実施され得る例示的なワイヤレス通信ネットワーク１００を示す。たとえば、ワイヤレスネットワークは、新無線（ＮＲ）または５Ｇネットワークであり得る。ＮＲワイヤレス通信システムは、短いアップリンクバーストを採用し得る。本明細書で説明されるように、たとえば、ＵＥ１２０は、ＢＳ１１０がＲＬＭ  ＲＳを送信する周期性と、ＵＥ１２０のＤＲＸ構成とに基づいて、ＲＬＭを実施し得る。
【００３４】
[0043]図１に示されているように、ワイヤレスネットワーク１００は、いくつかのＢＳ１１０と他のネットワークエンティティとを含み得る。ＢＳはＵＥと通信する局であり得る。各ＢＳ１１０は、特定の地理的エリアに通信カバレージを提供し得る。３ＧＰＰでは、「セル」という用語は、この用語が使用されるコンテキストに応じて、ノードＢのカバレージエリアおよび／またはこのカバレージエリアをサービスするノードＢサブシステムを指すことがある。ＮＲシステムでは、「セル」およびｅＮＢ、ノードＢ、５Ｇ  ＮＢ、ＡＰ、ＮＲ  ＢＳ、またはＴＲＰという用語は互換性があり得る。いくつかの例では、セルは、必ずしも固定であるとは限らないことがあり、セルの地理的エリアは、モバイルＢＳのロケーションに従って移動し得る。いくつかの例では、基地局は、任意の好適なトランスポートネットワークを使用して、直接物理接続、仮想ネットワークなど、様々なタイプのバックホールインターフェースを通して互いに、および／またはワイヤレス通信ネットワーク１００における１つまたは複数の他のＢＳまたはネットワークノード（図示せず）に相互接続され得る。
【００３５】
[0044]概して、任意の数のワイヤレスネットワークが所与の地理的エリア中に展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００３６】
[0045]ＢＳは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａ、１１０ｂおよび１１０ｃは、それぞれマクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（たとえば、３つの）セルをサポートし得る。
【００３７】
[0046]ワイヤレス通信ネットワーク１００はまた、中継局を含み得る。中継局は、上流局（たとえば、ＢＳまたはＵＥ）からデータおよび／または他の情報の送信を受信し、そのデータおよび／または他の情報の送信を下流局（たとえば、ＵＥまたはＢＳ）に送る局である。中継局はまた、他のＵＥに対する送信を中継するＵＥであり得る。図１に示されている例では、中継局１１０ｒは、ＢＳ１１０ａとＵＥ１２０ｒとの間の通信を可能にするために、ＢＳ１１０ａおよびＵＥ１２０ｒと通信し得る。中継局は、リレーＢＳ、リレーなどと呼ばれることもある。
【００３８】
[0047]ワイヤレスネットワーク１００は、異なるタイプのＢＳ、たとえば、マクロＢＳ、ピコＢＳ、フェムトＢＳ、リレーなどを含む異種ネットワークであり得る。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、２０ワット）を有し得るが、ピコＢＳ、フェムトＢＳ、およびリレーは、より低い送信電力レベル（たとえば、１ワット）を有し得る。
【００３９】
[0048]ワイヤレス通信ネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明される技法は、同期動作と非同期動作の両方のために使用され得る。
【００４０】
[0049]ネットワークコントローラ１３０は、ＢＳのセットに結合し、これらのＢＳの協調および制御を行い得る。ネットワークコントローラ１３０は、バックホールを介してＢＳ１１０と通信し得る。ＢＳ１１０はまた、たとえば、ワイヤレスバックホールまたはワイヤラインバックホールを介して直接または間接的に互いに通信し得る。
【００４１】
[0050]ＵＥ１２０（たとえば、１２０ｘ、１２０ｙなど）はワイヤレスネットワーク１００全体にわたって分散され得、各ＵＥは固定または移動であり得る。ＵＥは、移動局、端末、アクセス端末、加入者ユニット、局、顧客構内機器（ＣＰＥ）、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体センサー／デバイス、スマートウォッチ、スマートクロージング、スマートグラス、スマートリストバンドなどのウェアラブルデバイス、スマートジュエリー（たとえば、スマートリング、スマートブレスレットなど）、エンターテインメントデバイス（たとえば、音楽デバイス、ビデオデバイス、衛星ラジオなど）、車両コンポーネントもしくはセンサー、スマートメーター／センサー、産業用製造装置、全地球測位システムデバイス、またはワイヤレスもしくはワイヤード媒体を介して通信するように構成された任意の他の好適なデバイスと呼ばれることもある。いくつかのＵＥは、発展型もしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、たとえば、ＢＳ、別のデバイス（たとえば、リモートデバイス）、または何らかの他のエンティティと通信し得る、ロボット、ドローン、リモートデバイス、センサー、メーター、モニタ、ロケーションタグなどを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得る。
【００４２】
[0051]図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００４３】
[0052]いくつかのワイヤレスネットワーク（たとえば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」（ＲＢ）と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００４４】
[0053]本明細書で説明される例の態様は、ＬＴＥ技術に関連し得るが、本開示の態様は、ＮＲなど、他のワイヤレス通信システムを用いて適用可能であり得る。
【００４５】
[0054]ＮＲは、アップリンクおよびダウンリンク上でサイクリックプレフィックス（ＣＰ）を用いたＯＦＤＭを利用し、時分割複信（ＴＤＤ）を使用する半二重動作のサポートを含み得る。１００ＭＨｚの単一のコンポーネントキャリア（ＣＣ）帯域幅がサポートされ得る。ＮＲリソースブロックは、０．１ｍｓ持続時間にわたって７５ｋＨｚのサブキャリア帯域幅をもつ１２個のサブキャリアにわたり得る。各無線フレームは、各々が５つのサブフレームからなる２つの１／２フレームからなり、１０ｍｓの長さをもち得る。したがって、各サブフレームは、１ｍｓの長さを有し得る。各サブフレームは、データ送信のためのリンク方向（すなわち、ＤＬまたはＵＬ）を示し得、各サブフレームについてのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、図６および図７に関して以下でより詳細に説明される通りであり得る。ビームフォーミングがサポートされ得、ビーム方向は動的に構成され得る。プリコーディングを用いたＭＩＭＯ送信もサポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームを用いるマルチレイヤ送信がサポートされ得る。複数のセルのアグリゲーションが、最高８つのサービングセルを用いてサポートされ得る。代替的に、ＮＲは、ＯＦＤＭベース以外の、異なるエアインターフェースをサポートし得る。ＮＲネットワークは、中央ユニット（ＣＵ）または分散型ユニット（ＤＵ）のようなエンティティを含み得る。
【００４６】
[0055]いくつかの例では、エアインターフェースへのアクセスがスケジュールされ得、ここにおいて、スケジューリングエンティティ（たとえば、基地局）は、それのサービスエリアまたはセル内の一部または全部のデバイスおよび機器の間の通信にリソースを割り振る。本開示内では、以下でさらに説明されるように、スケジューリングエンティティは、１つまたは複数の下位エンティティのためのリソースをスケジュールし、割り当て、再構成し、解放することを担当し得る。すなわち、スケジュールされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥは、１つまたは複数の下位エンティティ（たとえば、１つまたは複数の他のＵＥ）のためのスケジューリングエンティティ、スケジューリングリソースとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、随意に、互いと直接通信し得る。
【００４７】
[0056]したがって、時間周波数リソースへのスケジュールされたアクセスを用いた、セルラー構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００４８】
[0057]上述のように、ＲＡＮはＣＵおよびＤＵを含み得る。ＮＲ  ＢＳ（たとえば、ｇＮＢ、５ＧノードＢ、ノードＢ、送信受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成され得る。たとえば、ＲＡＮ（たとえば、ＣＵまたはＤＵ）は、セルを構成することができる。ＤＣｅｌｌは、キャリアアグリゲーションまたはデュアル接続性のために使用されるが、初期アクセス、セル選択／再選択、またはハンドオーバのために使用されないセルであり得る。いくつかの場合には、ＤＣｅｌｌは同期信号（ＳＳ）を送信しないことがあるが、いくつかの場合には、ＤＣｅｌｌはＳＳを送信し得る。ＮＲ  ＢＳは、セルタイプを示すダウンリンク信号をＵＥに送信し得る。セルタイプ指示に基づいて、ＵＥは、ＮＲ  ＢＳと通信し得る。たとえば、ＵＥは、示されたセルタイプに基づいて、セル選択、アクセス、ハンドオーバ、および／または測定のために考慮すべきＮＲ  ＢＳを決定し得る。
【００４９】
[0058]図２は、図１に示されているワイヤレス通信システムにおいて実装され得る、分散型無線アクセスネットワーク（ＲＡＮ）２００の例示的な論理アーキテクチャを示す。５Ｇアクセスノード２０６は、アクセスノードコントローラ（ＡＮＣ）２０２を含み得る。ＡＮＣは、分散型ＲＡＮ２００の中央ユニット（ＣＵ）であり得る。次世代コアネットワーク（ＮＧ−ＣＮ）２０４へのバックホールインターフェースは、ＡＮＣにおいて終端し得る。ネイバリング次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、または何らかの他の用語で呼ばれることもある）１つまたは複数のＴＲＰ２０８を含み得る。上記で説明されたように、ＴＲＰは、「セル」と互換的に使用され得る。
【００５０】
[0059]ＴＲＰ２０８はＤＵであり得る。ＴＲＰは、１つのＡＮＣ（ＡＮＣ２０２）または（示されていない）２つ以上のＡＮＣに接続され得る。たとえば、ＲＡＮ共有、サービスとしての無線（ＲａａＳ：radio as a service）、およびサービス固有ＡＮＣ配置の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００５１】
[0060]論理アーキテクチャ２００は、フロントホール定義を示すために使用され得る。論理アーキテクチャ２００は、異なる展開タイプにわたってフロントホーリングソリューション（fronthauling solution）をサポートし得る。たとえば、論理アーキテクチャ２００は、送信ネットワーク能力（たとえば、帯域幅、レイテンシ、および／またはジッタ）に基づき得る。
【００５２】
[0061]論理アーキテクチャ２００は、ＬＴＥと特徴および／または構成要素を共有し得る。次世代ＡＮ（ＮＧ−ＡＮ）２１０は、ＮＲとのデュアル接続性をサポートし得る。ＮＧ−ＡＮ２１０は、ＬＴＥおよびＮＲについて共通フロントホールを共有し得る。
【００５３】
[0062]論理アーキテクチャ２００は、ＴＲＰ２０８間の協働を可能にし得る。たとえば、協働は、ＡＮＣ２０２を介してＴＲＰ内でおよび／またはＴＲＰにわたってプリセットされ得る。ＴＲＰ間インターフェースがないことがある。
【００５４】
[0063]論理アーキテクチャ２００は、分割された論理関数の動的構成を有し得る。図５を参照しながらより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤが、ＤＵまたはＣＵ（たとえば、それぞれＴＲＰまたはＡＮＣ）に適応的に配置され得る。
【００５５】
[0064]図３は、本開示の態様による、分散型ＲＡＮの例示的な物理アーキテクチャ３００を示す。集中型コアネットワークユニット（Ｃ−ＣＵ）３０２は、コアネットワーク機能をホストし得る。Ｃ−ＣＵ３０２は中央に展開され得る。Ｃ−ＣＵ機能性は、ピーク容量を扱おうとして、（たとえば、高度ワイヤレスサービス（ＡＷＳ）に）オフロードされ得る。
【００５６】
[0065]集中型ＲＡＮユニット（Ｃ−ＲＵ）３０４は、１つまたは複数のＡＮＣ機能をホストし得る。随意に、Ｃ−ＲＵ３０４は、ローカルにコアネットワーク機能をホストし得る。Ｃ−ＲＵ３０４は分散型展開を有し得る。Ｃ−ＲＵ３０４はネットワークエッジに近いことがある。
【００５７】
[0066]ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能性をもつネットワークのエッジに位置し得る。
【００５８】
[0067]図４は、本開示の態様を実装するために使用され得る、図１に示されているＢＳ１１０およびＵＥ１２０の例示的な構成要素を示す。ＢＳは、ＴＲＰを含み得、マスタｅＮＢ（ＭｅＮＢ）（たとえば、マスタＢＳ、１次ＢＳ）と呼ばれることがある。マスタＢＳおよび２次ＢＳは、地理的にコロケートされ得る。
【００５９】
[0068]ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ４５４、プロセッサ４６６、４５８、４６４、および／もしくはコントローラ／プロセッサ４８０、ならびに／またはＢＳ１１０のアンテナ４３４、プロセッサ４２０、４３０、４３８、および／もしくはコントローラ／プロセッサ４４０が、本明細書で説明される動作、および相補的な動作を実施するために使用され得る。
【００６０】
[0069]図４は、図１中のＢＳのうちの１つであり得るＢＳ１１０、および図１中のＵＥのうちの１つであり得るＵＥ１２０の設計のブロック図を示す。制限付き関連付けシナリオの場合、ＢＳ１１０は図１中のマクロＢＳ１１０ｃであり得、ＵＥ１２０はＵＥ１２０ｙであり得る。ＢＳ１１０はまた、何らかの他のタイプのＢＳであり得る。ＢＳ１１０はアンテナ４３４ａ〜４３４ｔを装備し得、ＵＥ１２０はアンテナ４５２ａ〜４５２ｒを装備し得る。
【００６１】
[0070]ＢＳ１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。プロセッサ４２０は、データシンボルおよび制御シンボルを取得するために、それぞれデータおよび制御情報を処理（たとえば、符号化およびシンボルマッピング）し得る。プロセッサ４２０はまた、たとえば、ＰＳＳ、ＳＳＳ、およびセル固有基準信号（ＣＲＳ）のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。各変調器４３２は、出力サンプルストリームを取得するために、（たとえば、ＯＦＤＭなどのための）それぞれの出力シンボルストリームを処理し得る。各変調器４３２は、さらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００６２】
[0071]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実施し、検出されたシンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００６３】
[0072]アップリンク上では、ＵＥ１２０において、送信プロセッサ４６４が、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、基地局１１０に送信され得る。ＢＳ１１０において、ＵＥ１２０からのアップリンク信号は、アンテナ４３４によって受信され、変調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に与え、復号された制御情報をコントローラ／プロセッサ４４０に与え得る。
【００６４】
[0073]コントローラ／プロセッサ４４０および４８０は、それぞれ基地局１１０およびＵＥ１２０における動作を指示し得る。ＢＳ１１０におけるプロセッサ４４０ならびに／または他のプロセッサおよびモジュールは、たとえば、本明細書で示される機能ブロック、および／または本明細書で説明される技法のための他の相補的なプロセスの実行を実施または指示し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信のためにＵＥをスケジューリングし得る。
【００６５】
[0074]図５は、本開示の態様による、通信プロトコルスタックを実装するための例を示す図５００を示す。示されている通信プロトコルスタックは、５Ｇシステムにおいて動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを示す。様々な例では、プロトコルスタックのレイヤは、ソフトウェアの別個のモジュール、プロセッサもしくはＡＳＩＣの部分、通信リンクによって接続されたコロケートされていないデバイスの部分、またはそれらの様々な組合せとして実装され得る。たとえば、ネットワークアクセスデバイス（たとえば、ＡＮ、ＣＵ、および／またはＤＵ）またはＵＥのためのプロトコルスタックにおいて、コロケートされた実装形態およびコロケートされていない実装形態が使用され得る。
【００６６】
[0075]第１のオプション５０５−ａは、プロトコルスタックの実装が、集中型ネットワークアクセスデバイス（たとえば、図２中のＡＮＣ２０２）と分散型ネットワークアクセスデバイス（たとえば、図２中のＤＵ２０８）との間で分割された、プロトコルスタックの分割された実装形態を示す。第１のオプション５０５−ａでは、ＲＲＣレイヤ５１０およびＰＤＣＰレイヤ５１５は、中央ユニットによって実装され得、ＲＬＣレイヤ５２０、ＭＡＣレイヤ５２５、およびＰＨＹレイヤ５３０は、ＤＵによって実装され得る。様々な例では、ＣＵおよびＤＵは、コロケートされることもコロケートされないこともある。第１のオプション５０５−ａは、マクロセル、マイクロセル、またはピコセル展開において有用であり得る。
【００６７】
[0076]第２のオプション５０５−ｂは、プロトコルスタックが、単一のネットワークアクセスデバイス（たとえば、アクセスノード（ＡＮ）、新無線基地局（ＮＲ  ＢＳ）、新無線ノードＢ（ＮＲ  ＮＢ）、ネットワークノード（ＮＮ）など）において実装された、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装され得る。第２のオプション５０５−ｂは、フェムトセル展開において有用であり得る。
【００６８】
[0077]ネットワークアクセスデバイスが、プロトコルスタックの一部を実装するのか全部を実装するのかにかかわらず、ＵＥは、プロトコルスタック全体（たとえば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００６９】
[0078]図６は、ＤＬセントリックサブフレーム６００の一例を示す図である。ＤＬセントリックサブフレーム６００は制御部分６０２を含み得る。制御部分６０２は、ＤＬセントリックサブフレーム６００の初期部分または始端部分中に存在し得る。制御部分６０２は、ＤＬセントリックサブフレームの様々な部分に対応する様々なスケジューリング情報および／または制御情報を含み得る。いくつかの構成では、制御部分６０２は、図６に示されているように、物理ＤＬ制御チャネル（ＰＤＣＣＨ）であり得る。ＤＬセントリックサブフレーム６００は、ＤＬデータ部分６０４をも含み得る。ＤＬデータ部分６０４は、ＤＬセントリックサブフレーム６００のペイロードと呼ばれることがある。ＤＬデータ部分６０４は、スケジューリングエンティティ（たとえば、ＵＥまたはＢＳ）から下位エンティティ（たとえば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００７０】
[0079]ＤＬセントリックサブフレーム６００は、共通ＵＬ部分６０６をも含み得る。共通ＵＬ部分６０６は、時々、ＵＬバースト、共通ＵＬバースト、および／または様々な他の好適な用語で呼ばれることがある。共通ＵＬ部分６０６は、ＤＬセントリックサブフレームの様々な他の部分に対応するフィードバック情報を含み得る。たとえば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分６０６は、ランダムアクセスチャネル（ＲＡＣＨ）プロシージャに関係する情報、スケジューリング要求（ＳＲ）、および様々な他の好適なタイプの情報など、追加または代替の情報を含み得る。図６に示されているように、ＤＬデータ部分６０４の終端は、共通ＵＬ部分６０６の始端から時間的に分離され得る。この時間分離は、時々、ギャップ、ガード期間、ガードインターバル、および／または様々な他の好適な用語で呼ばれることがある。この分離は、ＤＬ通信（たとえば、下位エンティティ（たとえば、ＵＥ）による受信動作）からＵＬ通信（たとえば、下位エンティティ（たとえば、ＵＥ）による送信）へのスイッチオーバーのための時間を提供する。当業者は、上記が、ＤＬセントリックサブフレームの一例にすぎず、同様の特徴を有する代替構造が、本明細書で説明される態様から必ずしも逸脱することなしに存在し得ることを理解するであろう。
【００７１】
[0080]図７は、ＵＬセントリックサブフレーム７００の一例を示す図である。ＵＬセントリックサブフレーム７００は制御部分７０２を含み得る。制御部分７０２は、ＵＬセントリックサブフレームの初期部分または始端部分中に存在し得る。図７中の制御部分７０２は、図６を参照しながら上記で説明された制御部分と同様であり得る。ＵＬセントリックサブフレーム７００は、ＵＬデータ部分７０４をも含み得る。ＵＬデータ部分７０４は、時々、ＵＬセントリックサブフレーム７００のペイロードと呼ばれることがある。ＵＬ部分は、下位エンティティ（たとえば、ＵＥ）からスケジューリングエンティティ（たとえば、ＵＥまたはＢＳ）にＵＬデータを通信するために利用される通信リソースを指し得る。いくつかの構成では、制御部分７０２は、物理ＵＬ制御チャネル（ＰＵＣＣＨ）であり得る。
【００７２】
[0081]図７に示されているように、制御部分７０２の終端は、ＵＬデータ部分７０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）へのスイッチオーバーのための時間を与える。ＵＬセントリックサブフレーム７００は、共通ＵＬ部分７０６をも含み得る。図７中の共通ＵＬ部分７０６は、図７を参照しながら上記で説明された共通ＵＬ部分７０６と同様であり得る。共通ＵＬ部分７０６は、追加または代替として、チャネル品質インジケータ（ＣＱＩ）に関係する情報、サウンディング基準信号（ＳＲＳ）、および様々な他の好適なタイプの情報を含み得る。当業者は、上記が、ＵＬセントリックサブフレームの一例にすぎず、同様の特徴を有する代替構造が、本明細書で説明される態様から必ずしも逸脱することなしに存在し得ることを理解するであろう。
【００７３】
[0082]いくつかの状況では、２つまたはそれ以上の下位エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルなメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある下位エンティティ（たとえば、ＵＥ１）から別の下位エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトルを使用して通信され得る。
【００７４】
[0083]ＵＥは、リソースの専用セットを使用してパイロットを送信することに関連する構成（たとえば、無線リソース制御（ＲＲＣ）専用状態など）、またはリソースの共通セットを使用してパイロットを送信することに関連する構成（たとえば、ＲＲＣ共通状態など）を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮ、もしくはＤＵ、またはそれらの部分など、１つまたは複数のネットワークアクセスデバイスによって受信され得る。各受信ネットワークアクセスデバイスは、リソースの共通セット上で送信されたパイロット信号を受信および測定し、また、ネットワークアクセスデバイスが、それについて、ＵＥのためのネットワークアクセスデバイスの監視セットのメンバーであるＵＥに割り振られたリソースの専用セット上で送信されたパイロット信号を受信および測定するように構成され得る。受信ネットワークアクセスデバイスのうちの１つもしくは複数、または受信ネットワークアクセスデバイスが、パイロット信号の測定値をそれに送信するＣＵは、ＵＥのためのサービングセルを識別するために、またはＵＥのうちの１つまたは複数のためのサービングセルの変更を開始するために、測定値を使用し得る。
【００７５】
例示的な無線リンク監視
[0084]説明されたように、図１のＵＥ１２０などのＵＥは、図１のＢＳ１１０などのＢＳから送信されたＲＬＭ  ＲＳに基づいてＲＬＭを実施するように構成され得る。さらに、ＵＥ１２０は、説明されたように、（たとえば、ＢＳ１１０によって）ＤＲＸ動作のために構成され得る。いくつかの態様では、ＵＥ１２０は、ＵＥ１２０のＤＲＸ構成に基づいてＲＬＭを実施するように構成され得る。たとえば、ＵＥ１２０が機能することができるとき、ＲＬＭは、ＢＳ１１０がＲＬＭ  ＲＳを送信する周期性と、ＵＥ１２０がオン状態にあり、ＲＬＭ  ＲＳを受信することが可能であるときのＵＥ１２０のＤＲＸサイクルとの両方に基づき得る。
【００７６】
[0085]いくつかの態様では、ＵＥ１２０がＤＲＸモード動作中であるとき、これは、それがＤＲＸを実施しており、常にオン状態にあるとは限らないことを意味し、ＵＥ１２０は、ＤＲＸサイクル長またはＲＬＭ  ＲＳ期間のうちのより長いほうごとに１回、ＲＬＭを実施し、ＵＥ１２０とＢＳ１１０との間のリンク品質を評価するように構成され得る。たとえば、ＬＴＥでは、ＵＥ１２０は、通常、ＤＲＸサイクルごとに１回、ＲＬＭを実施するように構成され得る。しかしながら、（ＮＲに関してなどの）本明細書で説明されるいくつかの態様では、ＵＥ１２０は、ＤＲＸサイクル長またはＲＬＭ  ＲＳ期間のどちらか長いほうごとに１回、ＲＬＭを実施し、ＵＥ１２０とＢＳ１１０との間のリンク品質を評価するように構成される。いくつかの態様では、ＲＬＭ  ＲＳ期間がＤＲＸサイクル長よりも長い場合、ＵＥ１２０は、ＲＬＭ  ＲＳ期間の構成された倍数（たとえば、１、２、３、４、・・・など）ごとに１回、ＲＬＭを実施し、ＵＥ１２０とＢＳ１１０との間のリンク品質を評価するように構成され得る。
【００７７】
[0086]たとえば、ＤＲＸサイクル長がＲＬＭ  ＲＳ期間よりも長い場合、ＵＥ１２０は、ＲＬＭ  ＲＳがＢＳ１１０によって送信されたとき、ＤＲＸサイクル中にＲＬＭを実施するように構成され得る。ＲＬＭ  ＲＳの送信は、ＵＥ１２０がオン状態にある必要があるときと一致し得、オン状態にあるＵＥ１２０は、その場合、ＲＬＭを実施し得る。代替的に、ＲＬＭ  ＲＳの送信は、ＵＥ１２０がオフ状態にあることを許されるときと一致し得、ＵＥ１２０は、その場合、それがオフ状態にあることを許されてもオン状態に入り、ＲＬＭを実施し得る。
【００７８】
[0087]別の例では、ＲＬＭ  ＲＳ期間がＤＲＸサイクル長よりも長い場合、ＵＥ１２０は、それが両方とも、ＤＲＸサイクルの間にオン状態にあると仮定され（または、ＵＥ１２０が、ＤＲＸサイクルの間にオン状態にあると仮定されるところに近い期間）、ＲＬＭ  ＲＳがＢＳ１１０によって送信される期間中に、ＲＬＭを実施するように構成され得る。そのような期間が存在しない場合、ＵＥ１２０は、それがオフ状態にあることを許されてもオン状態に入り、ＲＬＭを実施し得る。
【００７９】
[0088]いくつかの態様では、ＵＥ１２０は、ＲＬＭを実施するときにリンク品質を決定するために、少なくとも構成された時間期間だけ分離されたＲＬＭ  ＲＳの複数の測定値をフィルタ処理し／組み合わせ／平均化するように構成され得る。いくつかの態様では、構成された時間期間は、ＲＬＭ  ＲＳ期間（またはＲＬＭ  ＲＳ期間の構成された倍数）とＤＲＸサイクル長とのうちのより大きいほうの１／２であり得る。
【００８０】
[0089]いくつかの態様では、ＵＥ１２０がＤＲＸモード動作中であるとき、ＵＥ１２０は、ＢＳ１１０がＲＬＭ  ＲＳを送信しているときの時間ウィンドウ内で開始するＤＲＸサイクルごとに１回、ＲＬＭを実施し、ＵＥ１２０とＢＳ１１０との間のリンク品質を評価するように構成され得る。たとえば、ＲＬＭ  ＲＳ期間ごとに、ＢＳ１１０は、ＲＬＭ  ＲＳ期間よりも短い時間期間（たとえば、サブフレーム、スロットの数など）にわたってＲＬＭ  ＲＳを送信し得る。ＢＳ１１０がそれにわたってＲＬＭ  ＲＳを送信している時間期間は、ＢＳ１１０がＲＬＭ  ＲＳを送信しているときの時間ウィンドウと呼ばれることがある。いくつかの態様では、言い換えれば、ＵＥ１２０は、ＢＳ１１０によるＲＬＭ  ＲＳの送信と一致するあらゆるＤＲＸサイクルにおいて少なくとも１回、ＲＬＭを実施するように構成され得る。
【００８１】
[0090]いくつかの態様では、ＤＲＸサイクルが、ＢＳ１１０がＲＬＭ  ＲＳを送信しているときの時間ウィンドウ内で開始することは、ＢＳ１１０が、ＵＥ１２０がＤＲＸサイクルのオン状態にある間に、ＲＬＭ  ＲＳを送信することを備える。いくつかの態様では、より詳細には、ＤＲＸサイクルが、ＢＳ１１０がＲＬＭ  ＲＳを送信しているときの時間ウィンドウ内で開始することは、ＤＲＸサイクルのタイマー（たとえば、オン持続時間タイマー、非アクティビティタイマー、および／またはＤＲＸ短期サイクルタイマー）がＵＥ１２０においてまだ満了していない（たとえば、タイマーが依然として動作している）ことにより、ＢＳ１１０が、ＵＥ１２０がＤＲＸサイクルのオン状態にある間に、ＲＬＭ  ＲＳを送信することを備える。
【００８２】
[0091]いくつかの態様では、ＤＲＸサイクルが、ＢＳ１１０がＲＬＭ  ＲＳを送信しているときの時間ウィンドウ内で開始することは、ＢＳ１１０が、ＤＲＸサイクルが開始するときの同じ時間ウィンドウ中でＲＬＭ  ＲＳ期間の間にＲＬＭ  ＲＳの送信を開始することを備える。たとえば、ＵＥ１２０は、ＢＳ１１０によるＲＬＭ  ＲＳ期間の間のＲＬＭ  ＲＳの送信の開始と同じ時間期間（たとえば、無線フレーム、サブフレーム、スロットなど）中で開始するＤＲＸサイクル中に、ＲＬＭを実施するように構成され得る。
【００８３】
[0092]いくつかの態様では、ＤＲＸサイクルが、ＢＳ１１０がＲＬＭ  ＲＳを送信しているときの時間ウィンドウ内で開始することは、ＢＳ１１０が、ＤＲＸサイクルが開始するときの同じ時間ウィンドウ中でＲＬＭ  ＲＳ（たとえば、ＲＬＭ  ＲＳ期間の間に送信されるＲＬＭ  ＲＳの少なくとも一部）を送信することを備える。たとえば、ＵＥ１２０は、ＢＳ１１０によるＲＬＭ  ＲＳの送信があるのと同じ時間期間（たとえば、無線フレーム、サブフレーム、スロットなど）中で開始するＤＲＸサイクル中に、ＲＬＭを実施するように構成され得る。
【００８４】
[0093]いくつかの態様では、ＤＲＸサイクルが、ＢＳ１１０がＲＬＭ  ＲＳを送信しているときの時間ウィンドウ内で開始することは、ＢＳ１１０が、ＤＲＸサイクルの開始の時間ウィンドウ内でＲＬＭ  ＲＳ期間の間に、ＲＬＭ  ＲＳ（たとえば、ＲＬＭ  ＲＳ期間の間に送信されるＲＬＭ  ＲＳの少なくとも一部）を送信すること、またはＲＬＭ  ＲＳの送信を開始することを備える。たとえば、ＤＲＸサイクルの開始の時間ウィンドウ内は、ＤＲＸサイクルが開始するときから、ＤＲＸサイクルが開始した後の別の時間期間までの時間期間を指し得る。別の例では、ＤＲＸサイクルの開始の時間ウィンドウ内は、ＤＲＸサイクルが開始する前から、ＤＲＸサイクルが開始した後の別の時間期間までの時間期間を指し得る。ＵＥ１２０は、ＢＳ１１０がＲＬＭ  ＲＳを送信している（たとえば、ＲＬＭ  ＲＳの送信を開始する、またはＲＬＭ  ＲＳの一部を送信する）とき、ＤＲＸサイクルの開始の時間ウィンドウ内でＲＬＭを実施するように構成され得る。ＢＳ１１０が、時間ウィンドウ内で、ただし、ＤＲＸサイクルの開始の前に、ＲＬＭ  ＲＳを送信する場合、ＵＥ１２０は、ＲＬＭ  ＲＳを測定するためにＤＲＸサイクルの開始より前にオン状態に入り得る。
【００８５】
[0094]いくつかの態様では、ＵＥ１２０は、ＵＥ１２０のＤＲＸサイクルの開始が、ＢＳ１１０によるＲＬＭ  ＲＳ期間および／またはＲＬＭ  ＲＳの送信の開始時間に基づいて決定されるように構成され得る。たとえば、ＵＥ１２０のＤＲＸサイクルが、ＢＳ１１０によるＲＬＭ  ＲＳの送信と一致するように、ＢＳ１１０はＵＥ１２０を構成し得るか、またはＵＥ１２０はそれ自体を構成し得る。一例では、ＵＥ１２０が、ＵＥ１２０のＤＲＸサイクルが時間ｎ（たとえば、スロットｎ）において開始するような（たとえば、ＲＲＣ構成の一部など、ＢＳ１１０によって構成された）第１のＤＲＸ構成を有し、ＢＳ１１０が、時間ｎ−ｎ0においてＲＬＭ  ＲＳを送信することを開始するように構成された場合、ＵＥは、時間ｎ−ｎ0においてではなく時間ｎにおいて、そのＤＲＸサイクルを開始することを決定し得る。ＢＳ１１０はまた、ＵＥ１２０のＤＲＸサイクルの開始を決定するために同じプロシージャに従うように構成され得る。
【００８６】
[0095]図８は、本開示の態様による、無線リンク監視を実施するためにＵＥ（たとえば、ＵＥ１２０）などのワイヤレスデバイスによって実施され得る例示的な動作を示す。
【００８７】
[0096]動作８００は、８０２において、間欠受信（ＤＲＸ）動作モードでＵＥを動作させることによって始まる。８０４において、ＵＥは、時間期間ごとに少なくとも１回、ＵＥと基地局（ＢＳ）との間のリンク品質を評価し、ここにおいて、時間期間は、ＤＲＸ動作モードで動作するＵＥのＤＲＸサイクルの長さと基準信号（ＲＳ）期間とに基づき、ここにおいて、ＢＳは、ＲＳ期間ごとに周期的にＲＳを送信するように構成される。
【００８８】
[0097]図９は、本開示の態様による、無線リンク監視を実施するためにＵＥ（たとえば、ＵＥ１２０）などのワイヤレスデバイスによって実施され得る例示的な動作を示す。
【００８９】
[0098]動作９００は、９０２において、間欠受信（ＤＲＸ）動作モードでＵＥを動作させることによって始まる。９０４において、ＵＥは、基地局（ＢＳ）が基準信号（ＲＳ）を送信する第１の時間ウィンドウ内で開始するＵＥのあらゆるＤＲＸサイクルについて、ＵＥとＢＳとの間のリンク品質を評価する。
【００９０】
[0099]図１０は、図８および／または図９に示されている動作など、本明細書で開示される技法のための動作を実施するように構成された（たとえば、ミーンズプラスファンクション構成要素に対応する）様々な構成要素を含み得る通信デバイス１０００を示す。通信デバイス１０００は、トランシーバ１００８に結合された処理システム１００２を含む。トランシーバ１００８は、本明細書で説明される様々な信号など、通信デバイス１０００のための信号をアンテナ１０１０を介して送信および受信するように構成される。処理システム１００２は、通信デバイス１０００によって受信されるおよび／または送信されるべき信号を処理することを含む、通信デバイス１０００のための処理機能を実施するように構成され得る。
【００９１】
[0100]処理システム１００２は、バス１００６を介してコンピュータ可読媒体／メモリ１０１２に結合されたプロセッサ１００４を含む。いくつかの態様では、コンピュータ可読媒体／メモリ１０１２は、プロセッサ１００４によって実行されたとき、プロセッサ１００４に、図８および／または図９に示されている動作、または本明細書で説明される様々な技法を実施するための他の動作を実施させる命令を記憶するように構成される。
【００９２】
[0101]いくつかの態様では、処理システム１００２は、図８の８０２および／または図９の９０２に示されている動作を実施するための動作構成要素１０１４をさらに含む。さらに、処理システム１００２は、図８の８０４および／または図９の９０４に示されている動作を実施するための評価構成要素１０１６を含む。
【００９３】
[0102]動作構成要素１０１４および評価構成要素１０１６は、バス１００６を介してプロセッサ１００４に結合され得る。いくつかの態様では、動作構成要素１０１４および評価構成要素１０１６は、ハードウェア回路であり得る。いくつかの態様では、動作構成要素１０１４および評価構成要素１０１６は、プロセッサ１００４上で実行され、動作するソフトウェア構成要素であり得る。
【００９４】
[0103]本明細書で開示される方法は、説明される方法を達成するための１つまたは複数のステップまたはアクションを備える。本方法のステップおよび／またはアクションは、特許請求の範囲の範囲から逸脱することなく、互いに交換され得る。言い換えれば、ステップまたはアクションの特定の順序が指定されていない限り、特定のステップおよび／またはアクションの順序および／または使用は、特許請求の範囲の範囲から逸脱することなく改変され得る。
【００９５】
[0104]明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００９６】
[0105]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【００９７】
[0106]以上の説明は、当業者が本明細書で説明される様々な態様を実施できるようにするために提供されたものである。これらの態様に対する様々な改変は当業者には容易に明らかであり、本明細書で定義される一般的原理は他の態様に適用され得る。したがって、特許請求の範囲は、本明細書で示される態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に記載されているか否かにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
【００９８】
[0107]上記で説明された方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【００９９】
[0108]本開示に関連して説明される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書で説明される機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと併用される１つもしくは複数のマイクロプロセッサ、または任意の他のそのような構成として実装され得る。
【０１００】
[0109]ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明されない。プロセッサは、１つまたは複数の汎用および／または専用プロセッサを用いて実装され得る。例は、マイクロプロセッサ、マイクロコントローラ、ＤＳＰプロセッサ、およびソフトウェアを実行することができる他の回路を含む。当業者は、特定の適用例と、全体的なシステムに課される全体的な設計制約とに応じて、どのようにしたら処理システムについて説明された機能性を最も良く実装し得るかを理解されよう。
【０１０１】
[0110]ソフトウェアで実装される場合、機能は、１つもしくは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体とコンピュータ通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、もしくは他の好適な記憶媒体、またはそれらの任意の組合せを含み得る。機械可読媒体はコンピュータプログラム製品において実施され得る。
【０１０２】
[0111]ソフトウェアモジュールは、単一の命令または多数の命令を備え得、いくつかの異なるコードセグメント上で、異なるプログラム間で、および複数の記憶媒体にわたって分散され得る。コンピュータ可読媒体は、いくつかのソフトウェアモジュールを備え得る。ソフトウェアモジュールは、プロセッサなどの装置によって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能性に言及する場合、そのような機能性は、そのソフトウェアモジュールからの命令を実行したときにプロセッサによって実装されることが理解されよう。
【０１０３】
[0112]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば、有形媒体）を備え得る。さらに、他の態様では、コンピュータ可読媒体は、一時的コンピュータ可読媒体（たとえば、信号）を備え得る。上記の組合せもコンピュータ可読媒体の範囲内に含まれるべきである。
【０１０４】
[0113]したがって、いくつかの態様は、本明細書で提示される動作を実施するためのコンピュータプログラム製品を備え得る。たとえば、そのようなコンピュータプログラム製品は、本明細書で説明される動作を実施するために１つまたは複数のプロセッサによって実行可能である命令を記憶した（および／または符号化した）コンピュータ可読媒体を備え得る。たとえば、本明細書で説明される動作を実施するための命令。
【０１０５】
[0114]さらに、本明細書で説明される方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明される方法を実施するための手段の転送を可能にするためにサーバに結合され得る。代替的に、本明細書で説明される様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明される方法および技法をデバイスに提供するための任意の他の好適な技法が利用され得る。
【０１０６】
[0115]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
【図１】
2021503803.tif 000003
【図２】
2021503803.tif 000004
【図３】
2021503803.tif 000005
【図４】
2021503803.tif 000006
【図５】
2021503803.tif 000007
【図６】
2021503803.tif 000008
【図７】
2021503803.tif 000009
【図８】
2021503803.tif 000010
【図９】
2021503803.tif 000011
【図１０】
2021503803.tif 000012
【国際調査報告】
2021503803.tif 000013
2021503803.tif 000014
2021503803.tif 000015